(57)【要約】【課題】「Ｉｎｔｅｒ-ｎｏｄｅ  ＵＰ  ａｇｇｒｅｇａｔｉｏｎ」において、無線基地局ＳｅＮＢを無線基地局ＳｅＮＢ＃１から無線基地局ＳｅＮＢ＃２に切り替える際に、移動局ＵＥ宛ての下りデータの無駄な転送を回避し、かかる切り替えを迅速に行う。【解決手段】本発明に係る移動通信方法は、移動局ＵＥが、「ＳｅＮＢ  ｃｈａｎｇｅ  ｒｅｑｕｅｓｔ」に応じて、無線基地局ＭｅＮＢに対して、無線基地局ＳｅＮＢ＃１に対する移動局ＵＥ宛ての下りデータの転送を停止するように要求する転送停止要求を送信する工程と、無線基地局ＭｅＮＢが、かかる転送停止要求に応じて、無線基地局ＳｅＮＢ＃１に対して、移動局ＵＥ宛ての下りデータの転送を停止する工程とを有する。【選択図】図３
2015041786.tif 000002
【特許請求の範囲】
【請求項１】
移動局がマクロセル用無線基地局配下のマクロセル及び第１スモールセル用無線基地局配下のスモールセルを用いてキャリアアグリゲーションを行っている状態における移動通信方法であって、
前記第１スモールセル用無線基地局が、前記移動局から測定報告を受信した際に、第２スモールセル用無線基地局に対して、スモールセル用無線基地局を切り替えるように要求する切替要求を送信する工程と、
前記第１スモールセル用無線基地局が、前記第２スモールセル用無線基地局から切替要求応答を受信した際に、前記移動局宛ての下りデータのスケジューリングを停止すると共に、該移動局に対して前記切替要求を送信する工程と、
前記移動局が、前記切替要求に応じて、前記マクロセル用無線基地局に対して、前記第１スモールセル用無線基地局に対する前記移動局宛ての下りデータの転送を停止するように要求する転送停止要求を送信する工程と、
前記マクロセル用無線基地局が、前記転送停止要求に応じて、前記第１スモールセル用無線基地局に対して、前記移動局宛ての下りデータの転送を停止する工程とを有することを特徴とする移動通信方法。
【請求項２】
移動局がマクロセル用無線基地局配下のマクロセル及び第１スモールセル用無線基地局配下のスモールセルを用いてキャリアアグリゲーションを行っている状態における移動通信方法であって、
前記移動局が、前記第１スモールセル用無線基地局に対して測定報告を送信する際に、前記マクロセル用無線基地局に対して、該第１スモールセル用無線基地局に対する該移動局宛ての下りデータの転送を停止するように要求する転送停止要求を送信する工程と、
前記マクロセル用無線基地局が、前記転送停止要求に応じて、前記第１スモールセル用無線基地局に対して、前記移動局宛ての下りデータの転送を停止する工程と、
前記第１スモールセル用無線基地局が、前記移動局から前記測定報告を受信した際に、第２スモールセル用無線基地局に対して、スモールセル用無線基地局を切り替えるように要求する切替要求を送信する工程と、
前記第１スモールセル用無線基地局が、前記第２スモールセル用無線基地局から切替要求応答を受信した際に、前記移動局宛ての下りデータのスケジューリングを停止すると共に、該移動局に対して前記切替要求を送信する工程とを有することを特徴とする移動通信方法。
【請求項３】
移動局がマクロセル用無線基地局配下のマクロセル及び第１スモールセル用無線基地局配下のスモールセルを用いてキャリアアグリゲーションを行っている状態における移動通信方法であって、
前記移動局が、前記第１スモールセル用無線基地局との間の無線リンクの品質劣化を検出した際に、前記マクロセル用無線基地局に対して、該第１スモールセル用無線基地局に対する該移動局宛ての下りデータの転送を停止するように要求する転送停止要求を送信する工程と、
前記マクロセル用無線基地局が、前記転送停止要求に応じて、前記第１スモールセル用無線基地局に対して、前記移動局宛ての下りデータの転送を停止する工程と、
前記第１スモールセル用無線基地局が、前記移動局から測定報告を受信した際に、第２スモールセル用無線基地局に対して、スモールセル用無線基地局を切り替えるように要求する切替要求を送信する工程と、
前記第１スモールセル用無線基地局が、前記第２スモールセル用無線基地局から切替要求応答を受信した際に、前記移動局宛ての下りデータのスケジューリングを停止すると共に、該移動局に対して前記切替要求を送信する工程とを有することを特徴とする移動通信方法。
【請求項４】
移動局がマクロセル用無線基地局配下のマクロセル及び第１スモールセル用無線基地局配下のスモールセルを用いてキャリアアグリゲーションを行っている状態における移動通信方法であって、
前記第１スモールセル用無線基地局が、前記移動局から測定報告を受信した際に、前記第２スモールセル用無線基地局に対して、スモールセル用無線基地局を切り替えるように要求する切替要求を送信すると共に、前記マクロセル用無線基地局に対して、該第１スモールセル用無線基地局に対する該移動局宛ての下りデータの転送を停止するように要求する転送停止要求を送信する工程と、
前記マクロセル用無線基地局が、前記転送停止要求に応じて、前記第１スモールセル用無線基地局に対して、前記移動局宛ての下りデータの転送を停止する工程と、
前記第１スモールセル用無線基地局が、前記第２スモールセル用無線基地局から切替要求応答を受信した際に、前記移動局に対する下りデータのスケジューリングを停止すると共に、該移動局に対して前記切替要求を送信する工程とを有することを特徴とする移動通信方法。
【請求項５】
移動局がマクロセル用無線基地局配下のマクロセル及び第１スモールセル用無線基地局配下のスモールセルを用いてキャリアアグリゲーションを行っている状態における移動通信方法であって、
前記第１スモールセル用無線基地局が、前記移動局との間の無線リンクの品質劣化を検出した際に、前記マクロセル用無線基地局に対して、該第１スモールセル用無線基地局に対する該移動局宛ての下りデータの転送を停止するように要求する転送停止要求を送信する工程と、
前記マクロセル用無線基地局が、前記転送停止要求に応じて、前記第１スモールセル用無線基地局に対して、前記移動局宛ての下りデータの転送を停止する工程と、
前記第１スモールセル用無線基地局が、前記移動局から測定報告を受信した際に、第２スモールセル用無線基地局に対して、スモールセル用無線基地局を切り替えるように要求する切替要求を送信する工程と、
前記第１スモールセル用無線基地局が、前記第２スモールセル用無線基地局から切替要求応答を受信した際に、前記移動局に対する下りデータのスケジューリングを停止すると共に、該移動局に対して前記切替要求を送信する工程とを有することを特徴とする移動通信方法。
【発明の詳細な説明】
【技術分野】
【０００１】
本発明は、移動通信方法に関する。
【背景技術】
【０００２】
ＬＴＥ（Ｌｏｎｇ  Ｔｅｒｍ  Ｅｖｏｌｕｔｉｏｎ）方式では、移動局ＵＥが移動した場合であっても最適なセルで通信ができるようにハンドオーバ制御が規定されている（図９参照）。
【０００３】
また、ＬＴＥ方式のＲｅｌｅａｓｅ-１０までで規定されているＣＡ（Ｃａｒｒｉｅｒ  Ａｇｇｒｅｇａｔｉｏｎ、キャリアアグリゲーション）では、図１０（ａ）に示すように、同一の無線基地局ｅＮＢ配下のＣＣ（Ｃｏｍｐｏｎｅｎｔ  Ｃａｒｒｉｅｒ、コンポーネントキャリア）＃１及びＣＣ＃２を用いて同時通信を行うことで高いスループットを実現することが可能であった。
【０００４】
一方、ＬＴＥ方式のＲｅｌｅａｓｅ-１２では、ＬＴＥ方式のＲｅｌｅａｓｅ-１０までのＣＡを拡張して、図１０（ｂ）に示すように、異なる無線基地局ｅＮＢ＃１/ｅＮＢ＃２配下のＣＣ＃１/ＣＣ＃２を用いて同時通信を行うことで高いスループットを実現する「Ｉｎｔｅｒ-ｎｏｄｅ  ＵＰ  ａｇｇｒｅｇａｔｉｏｎ」が検討されている（非特許文献１参照）。
【０００５】
例えば、全てのＣＣを単一の無線基地局ｅＮＢ内に収容することができない場合に、ＬＴＥ方式のＲｅｌｅａｓｅ１０と同程度のスループットを実現するためには、「Ｉｎｔｅｒ-ｎｏｄｅ  ＵＰ  ａｇｇｒｅｇａｔｉｏｎ」を行うことが必要となる。
【０００６】
なお、「Ｉｎｔｅｒ-ｎｏｄｅ  ＵＰ  ａｇｇｒｅｇａｔｉｏｎ」では、アンカーリングノード（ａｎｃｈｏｒｉｎｇ  ｎｏｄｅ）で、下りデータを分配して移動局ＵＥに送信することが想定される。
【０００７】
例えば、図１１（ａ）の例では、マクロセルを管理する無線基地局ＭｅＮＢが、アンカーリングノードであり、図１１（ｂ）の例では、ゲートウェイ装置Ｓ-ＧＷが、アンカーリングノードである。
【先行技術文献】
【非特許文献】
【０００８】
【非特許文献１】３ＧＰＰ寄書Ｒ２-１３１７８２
【発明の概要】
【発明が解決しようとする課題】
【０００９】
しかしながら、「Ｉｎｔｅｒ-ｎｏｄｅ  ＵＰ  ａｇｇｒｅｇａｔｉｏｎ」において、スモールセルを管理する無線基地局ＳｅＮＢを切り替える際に、既存のハンドオーバ制御を流用することが考えられるが、図１２に示すように、無線基地局ＭｅＮＢと無線基地局ＳｅＮＢとの間のバックホール回線としてｘＤＳＬ回線等の低速回線が用いられることが想定されている。
【００１０】
「Ｉｎｔｅｒ-ｎｏｄｅ  ＵＰ  ａｇｇｒｅｇａｔｉｏｎ」において、既存のハンドオーバ制御を流用されると、図１３に示すように、移動局ＵＥ宛ての下りデータが、無線基地局ＭｅＮＢから無線基地局ＳｅＮＢ＃１に転送された後に、さらに、無線基地局ＳｅＮＢ＃１から無線基地局ＳｅＮＢ＃２に転送されることになる。
【００１１】
ここで、上述のバックホール回線に低速回線が用いられると、上述の移動局ＵＥ宛ての下りデータの無線基地局ＭｅＮＢから無線基地局ＳｅＮＢ＃１への転送は、時間がかかるにも関わらず、無駄な転送になってしまうという問題点があった。
【００１２】
そこで、本発明は、上述の課題に鑑みてなされたものであり、「Ｉｎｔｅｒ-ｎｏｄｅ  ＵＰ  ａｇｇｒｅｇａｔｉｏｎ」において、無線基地局ＳｅＮＢを無線基地局ＳｅＮＢ＃１から無線基地局ＳｅＮＢ＃２に切り替える際に、移動局ＵＥ宛ての下りデータの無駄な転送を回避し、かかる切り替えを迅速に行うことができる移動通信方法を提供することを目的とする。
【課題を解決するための手段】
【００１３】
本発明の第１の特徴は、移動局がマクロセル用無線基地局配下のマクロセル及び第１スモールセル用無線基地局配下のスモールセルを用いてキャリアアグリゲーションを行っている状態における移動通信方法であって、前記第１スモールセル用無線基地局が、前記移動局から測定報告を受信した際に、第２スモールセル用無線基地局に対して、スモールセル用無線基地局を切り替えるように要求する切替要求を送信する工程と、前記第１スモールセル用無線基地局が、前記第２スモールセル用無線基地局から切替要求応答を受信した際に、前記移動局宛ての下りデータのスケジューリングを停止すると共に、該移動局に対して前記切替要求を送信する工程と、前記移動局が、前記切替要求に応じて、前記マクロセル用無線基地局に対して、前記第１スモールセル用無線基地局に対する前記移動局宛ての下りデータの転送を停止するように要求する転送停止要求を送信する工程と、前記マクロセル用無線基地局が、前記転送停止要求に応じて、前記第１スモールセル用無線基地局に対して、前記移動局宛ての下りデータの転送を停止する工程とを有することを要旨とする。
【００１４】
本発明の第２の特徴は、移動局がマクロセル用無線基地局配下のマクロセル及び第１スモールセル用無線基地局配下のスモールセルを用いてキャリアアグリゲーションを行っている状態における移動通信方法であって、前記移動局が、前記第１スモールセル用無線基地局に対して測定報告を送信する際に、前記マクロセル用無線基地局に対して、該第１スモールセル用無線基地局に対する該移動局宛ての下りデータの転送を停止するように要求する転送停止要求を送信する工程と、前記マクロセル用無線基地局が、前記転送停止要求に応じて、前記第１スモールセル用無線基地局に対して、前記移動局宛ての下りデータの転送を停止する工程と、前記第１スモールセル用無線基地局が、前記移動局から前記測定報告を受信した際に、第２スモールセル用無線基地局に対して、スモールセル用無線基地局を切り替えるように要求する切替要求を送信する工程と、前記第１スモールセル用無線基地局が、前記第２スモールセル用無線基地局から切替要求応答を受信した際に、前記移動局宛ての下りデータのスケジューリングを停止すると共に、該移動局に対して前記切替要求を送信する工程とを有することを要旨とする。
【００１５】
本発明の第３の特徴は、移動局がマクロセル用無線基地局配下のマクロセル及び第１スモールセル用無線基地局配下のスモールセルを用いてキャリアアグリゲーションを行っている状態における移動通信方法であって、前記移動局が、前記第１スモールセル用無線基地局との間の無線リンクの品質劣化を検出した際に、前記マクロセル用無線基地局に対して、該第１スモールセル用無線基地局に対する該移動局宛ての下りデータの転送を停止するように要求する転送停止要求を送信する工程と、前記マクロセル用無線基地局が、前記転送停止要求に応じて、前記第１スモールセル用無線基地局に対して、前記移動局宛ての下りデータの転送を停止する工程と、前記第１スモールセル用無線基地局が、前記移動局から測定報告を受信した際に、第２スモールセル用無線基地局に対して、スモールセル用無線基地局を切り替えるように要求する切替要求を送信する工程と、前記第１スモールセル用無線基地局が、前記第２スモールセル用無線基地局から切替要求応答を受信した際に、前記移動局宛ての下りデータのスケジューリングを停止すると共に、該移動局に対して前記切替要求を送信する工程とを有することを要旨とする。
【００１６】
本発明の第４の特徴は、移動局がマクロセル用無線基地局配下のマクロセル及び第１スモールセル用無線基地局配下のスモールセルを用いてキャリアアグリゲーションを行っている状態における移動通信方法であって、前記第１スモールセル用無線基地局が、前記移動局から測定報告を受信した際に、前記第２スモールセル用無線基地局に対して、スモールセル用無線基地局を切り替えるように要求する切替要求を送信すると共に、前記マクロセル用無線基地局に対して、該第１スモールセル用無線基地局に対する該移動局宛ての下りデータの転送を停止するように要求する転送停止要求を送信する工程と、前記マクロセル用無線基地局が、前記転送停止要求に応じて、前記第１スモールセル用無線基地局に対して、前記移動局宛ての下りデータの転送を停止する工程と、前記第１スモールセル用無線基地局が、前記第２スモールセル用無線基地局から切替要求応答を受信した際に、前記移動局に対する下りデータのスケジューリングを停止すると共に、該移動局に対して前記切替要求を送信する工程とを有することを要旨とする。
【００１７】
本発明の第５の特徴は、移動局がマクロセル用無線基地局配下のマクロセル及び第１スモールセル用無線基地局配下のスモールセルを用いてキャリアアグリゲーションを行っている状態における移動通信方法であって、前記第１スモールセル用無線基地局が、前記移動局との間の無線リンクの品質劣化を検出した際に、前記マクロセル用無線基地局に対して、該第１スモールセル用無線基地局に対する該移動局宛ての下りデータの転送を停止するように要求する転送停止要求を送信する工程と、前記マクロセル用無線基地局が、前記転送停止要求に応じて、前記第１スモールセル用無線基地局に対して、前記移動局宛ての下りデータの転送を停止する工程と、前記第１スモールセル用無線基地局が、前記移動局から測定報告を受信した際に、第２スモールセル用無線基地局に対して、スモールセル用無線基地局を切り替えるように要求する切替要求を送信する工程と、前記第１スモールセル用無線基地局が、前記第２スモールセル用無線基地局から切替要求応答を受信した際に、前記移動局に対する下りデータのスケジューリングを停止すると共に、該移動局に対して前記切替要求を送信する工程とを有することを要旨とする。
【発明の効果】
【００１８】
以上説明したように、本発明によれば、「Ｉｎｔｅｒ-ｎｏｄｅ  ＵＰ  ａｇｇｒｅｇａｔｉｏｎ」において、無線基地局ＳｅＮＢを無線基地局ＳｅＮＢ＃１から無線基地局ＳｅＮＢ＃２に切り替える際に、移動局ＵＥ宛ての下りデータの無駄な転送を回避し、かかる切り替えを迅速に行うことができる移動通信方法を提供することができる。
【図面の簡単な説明】
【００１９】
【図１】本発明の第１の実施形態に係る移動通信システムの全体構成図である。
【図２】本発明の第１の実施形態に係る移動局の機能ブロック図である。
【図３】本発明の第１の実施形態に係る移動通信システムの動作の一例を示すシーケンス図である。
【図４】本発明の第１の実施形態に係る移動通信システムの動作の一例を示すシーケンス図である。
【図５】本発明の第１の実施形態に係る移動通信システムの動作の一例を示すシーケンス図である。
【図６】本発明の第２の実施形態に係る無線基地局の機能ブロック図である。
【図７】本発明の第２の実施形態に係る移動通信システムの動作の一例を示すシーケンス図である。
【図８】本発明の第２の実施形態に係る移動通信システムの動作の一例を示すシーケンス図である。
【図９】従来技術を説明するための図である。
【図１０】従来技術を説明するための図である。
【図１１】従来技術を説明するための図である。
【図１２】従来技術を説明するための図である。
【図１３】従来技術を説明するための図である。
【発明を実施するための形態】
【００２０】
（本発明の第１の実施形態）
図１乃至図５を参照して、本発明の第１の実施形態に係る移動通信システムについて説明する。
【００２１】
図１に示すように、本実施形態に係る移動通信システムは、ＬＴＥ方式の移動通信システムであって、ゲートウェイ装置Ｓ-ＧＷと、マクロセルを管理する無線基地局ＭｅＮＢと、スモールセル＃１を管理する無線基地局ＳｅＮＢ＃１と、スモールセル＃２を管理する無線基地局ＳｅＮＢ＃２と、移動局ＵＥとを具備している。
【００２２】
本実施形態に係る移動通信システムでは、移動局ＵＥは、無線基地局ＭｅＮＢ配下のＣＣ及び無線基地局ＳｅＮＢ＃１配下のＣＣ（或いは、無線基地局ＳｅＮＢ＃２配下のＣＣ）を用いてＣＡを行うことができるように構成されている。
【００２３】
すなわち、本実施形態に係る移動通信システムは、「Ｉｎｔｅｒ-ｎｏｄｅ  ＵＰ  ａｇｇｒｅｇａｔｉｏｎ」を行うことができるように構成されている。
【００２４】
また、本実施形態に係る移動通信システムでは、移動局ＵＥが、無線基地局ＭｅＮＢ及び無線基地局ＳｅＮＢ＃１との間で「Ｉｎｔｅｒ-ｎｏｄｅ  ＵＰ  ａｇｇｒｅｇａｔｉｏｎ」を行っている状態において、無線基地局ＭｅＮＢが、無線基地局ＳｅＮＢ＃１を介して移動局ＵＥに送信する全ての下りデータをバッファリングするように構成されていてもよい。
【００２５】
すなわち、かかる状態において、無線基地局ＭｅＮＢが、アンカーリングノードであり、無線基地局ＳｅＮＢ＃１に対して、上述の下りデータのコピーを転送するように構成されていてもよい。
【００２６】
或いは、本実施形態に係る移動通信システムでは、移動局ＵＥが、無線基地局ＭｅＮＢ及び無線基地局ＳｅＮＢ＃１との間で「Ｉｎｔｅｒ-ｎｏｄｅ  ＵＰ  ａｇｇｒｅｇａｔｉｏｎ」を行っている状態において、無線基地局ＭｅＮＢが、無線基地局ＳｅＮＢ＃１を介して移動局ＵＥに送信する全ての下りデータをバッファリングしないように構成されている。
【００２７】
すなわち、かかる状態において、無線基地局ＭｅＮＢが、移動局ＵＥに対して、無線基地局ＳｅＮＢ＃１を介して移動局ＵＥに送信する全ての下りデータを再送することができないように構成されていてもよい。
【００２８】
ここで、無線基地局ＭｅＮＢが、アンカーリングノードであってもよいし、ゲートウェイ装置Ｓ-ＧＷが、アンカーリングノードであってもよい。
【００２９】
なお、無線基地局ＭｅＮＢは、無線基地局ＳｅＮＢ＃１に対して、上述の下りデータのコピーを転送するように構成されているわけではなく、単なるルータとして動作するように構成されていてもよい。
【００３０】
図２に示すように、本実施形態に係る移動局ＵＥは、受信部１１と、送信部１２と、ＣＡ管理部１３と、受信データバッファ部１４と、受信状況管理部１５とを具備している。
【００３１】
受信部１１は、無線基地局ＭｅＮＢや無線基地局ＳｅＮＢ＃１や無線基地局ＳｅＮＢ＃２によって送信された各種信号を受信するように構成されており、送信部１２は、無線基地局ＭｅＮＢや無線基地局ＳｅＮＢ＃１や無線基地局ＳｅＮＢ＃２に対して各種信号を送信するように構成されている。
【００３２】
ＣＡ管理部１３は、受信部１１及び送信部１２を協働して、上述のＣＡ、すなわち、「Ｉｎｔｅｒ-ｎｏｄｅ  ＵＰ  ａｇｇｒｅｇａｔｉｏｎ」に係る制御や管理を行うように構成されている。
【００３３】
以下、図３乃至図５を参照して、本実施形態に係る移動通信システムの動作について説明する。具体的には、図３乃至図５を参照して、本実施形態に係る移動通信システムにおいて、「Ｉｎｔｅｒ-ｎｏｄｅ  ＵＰ  ａｇｇｒｅｇａｔｉｏｎ」が行われている際に、無線基地局ＳｅＮＢを無線基地局ＳｅＮＢ＃１から無線基地局ＳｅＮＢ＃２に切り替える際の動作について説明する。
【００３４】
第１に、図３を参照して、本実施形態に係る移動通信システムの動作例１について説明する。
【００３５】
図３に示すように、無線基地局ＳｅＮＢ＃１は、ステップＳ１００１において、移動局ＵＥから「Ｍｅａｓｕｒｅｍｅｎｔ  Ｒｅｐｏｒｔ」を受信し、無線基地局ＳｅＮＢを無線基地局ＳｅＮＢ＃１から無線基地局ＳｅＮＢ＃２に切り替えることを決定すると、ステップＳ１００２において、無線基地局ＳｅＮＢ＃２に対して、無線基地局ＳｅＮＢを切り替えるように要求する「ＳｅＮＢ  ｃｈａｎｇｅ  ｒｅｑｕｅｓｔ」を送信する。
【００３６】
その後、無線基地局ＳｅＮＢ＃１は、ステップＳ１００３において、無線基地局ＳｅＮＢ＃２から「ＳｅＮＢ  ｃｈａｎｇｅ  ｒｅｑｕｅｓｔ  ａｃｋ」を受信すると、ステップＳ１００４において、移動局ＵＥに対する下りデータのスケジューリングと停止すると共に、ステップＳ１００５において、移動局ＵＥに対して「ＳｅＮＢ  ｃｈａｎｇｅ  ｒｅｑｕｅｓｔ」を送信する。
【００３７】
ステップＳ１００６において、移動局ＵＥは、かかる「ＳｅＮＢ  ｃｈａｎｇｅ  ｒｅｑｕｅｓｔ」に応じて、無線基地局ＭｅＮＢに対して、無線基地局ＭｅＮＢに対して、無線基地局ＳｅＮＢ＃１に対する移動局ＵＥ宛ての下りデータの転送を停止するように要求する転送停止要求を送信する。
【００３８】
ここで、無線基地局ＭｅＮＢは、かかる転送停止要求に応じて、無線基地局ＳｅＮＢ＃１に対して、移動局ＵＥ宛ての下りデータの転送を停止する。なお、図３の例では、無線基地局ＭｅＮＢは、シーケンス番号「２５」以降のＰＤＣＰ-ＰＤＵの無線基地局ＳｅＮＢ＃１に対する転送を停止している。
【００３９】
なお、移動局ＵＥに対する送信が完了していない（肯定的な送達確認情報を受信していない）下りデータ（ＰＤＣＰ-ＰＤＵ）は、無線基地局ＳｅＮＢ＃１又は移動局ＵＥによって無線基地局ＭｅＮＢに対して通知されてもよい。また、かかる下りデータについて、無線基地局ＳｅＮＢ＃１によって無線基地局ＭｅＮＢに対して転送されてもよい。
【００４０】
また、本動作例１において、無線基地局ＳｅＮＢ＃１は、滞留しており移動局ＵＥに対する送信が完了していない下りデータについて破棄してもよい。
【００４１】
その後の動作は、図１３に示す動作と同様である。
【００４２】
第２に、図４を参照して、本実施形態に係る移動通信システムの動作例２について説明する。
【００４３】
図４に示すように、移動局ＵＥは、ステップＳ２００１において、無線基地局ＳｅＮＢ＃１に対して「Ｍｅａｓｕｒｅｍｅｎｔ  Ｒｅｐｏｒｔ」を送信すると共に、ステップＳ２００２において、無線基地局ＭｅＮＢに対して、無線基地局ＳｅＮＢ＃１に対する移動局ＵＥ宛ての下りデータの転送を停止するように要求する転送停止要求を送信する。
【００４４】
ここで、無線基地局ＭｅＮＢは、かかる転送停止要求に応じて、無線基地局ＳｅＮＢ＃１に対して、移動局ＵＥ宛ての下りデータの転送を停止する。なお、図４の例では、無線基地局ＭｅＮＢは、シーケンス番号「１５」以降のＰＤＣＰ-ＰＤＵの無線基地局ＳｅＮＢ＃１に対する転送を停止している。
【００４５】
なお、移動局ＵＥは、無線基地局ＳｅＮＢ＃１から、上述の「Ｍｅａｓｕｒｅｍｅｎｔ  Ｒｅｐｏｒｔ」に対するＭＡＣ-ＡＣＫ或いはＲＬＣ-ＡＣＫを受信した時点で、上述の転送停止要求を送信してもよい。
【００４６】
無線基地局ＳｅＮＢ＃１は、移動局ＵＥから受信した「Ｍｅａｓｕｒｅｍｅｎｔ  Ｒｅｐｏｒｔ」に応じて、無線基地局ＳｅＮＢを無線基地局ＳｅＮＢ＃１から無線基地局ＳｅＮＢ＃２に切り替えることを決定すると、ステップＳ２００３において、無線基地局ＳｅＮＢ＃２に対して、無線基地局ＳｅＮＢを切り替えるように要求する「ＳｅＮＢ  ｃｈａｎｇｅ  ｒｅｑｕｅｓｔ」を送信する。
【００４７】
その後、無線基地局ＳｅＮＢ＃１は、ステップＳ２００４において、無線基地局ＳｅＮＢ＃２から「ＳｅＮＢ  ｃｈａｎｇｅ  ｒｅｑｕｅｓｔ  ａｃｋ」を受信すると、ステップＳ２００５において、移動局ＵＥに対する下りデータのスケジューリングと停止すると共に、ステップＳ２００６において、移動局ＵＥに対して「ＳｅＮＢ  ｃｈａｎｇｅ  ｒｅｑｕｅｓｔ」を送信する。
【００４８】
その後の動作は、図１３に示す動作と同様である。
【００４９】
なお、移動局ＵＥに対する送信が完了していない下りデータ（ＰＤＣＰ-ＰＤＵ）は、無線基地局ＳｅＮＢ＃１又は移動局ＵＥによって無線基地局ＭｅＮＢに対して通知されてもよい。また、かかる下りデータについて、無線基地局ＳｅＮＢ＃１によって無線基地局ＭｅＮＢに対して転送されてもよい。
【００５０】
また、本動作例２において、無線基地局ＳｅＮＢ＃１は、滞留しており移動局ＵＥに対する送信が完了していない下りデータについて破棄してもよい。
【００５１】
第３に、図５を参照して、本実施形態に係る移動通信システムの動作例３について説明する。
【００５２】
図５に示すように、移動局ＵＥは、ステップＳ３００１において、無線基地局ＳｅＮＢ＃１との間の無線リンク（下りリンク及び上りリンク）の品質劣化を検出すると、ステップＳ３００２において、無線基地局ＭｅＮＢに対して、無線基地局ＳｅＮＢ＃１に対する移動局ＵＥ宛ての下りデータの転送を停止するように要求する転送停止要求を送信する。
【００５３】
例えば、移動局ＵＥは、ＲＳＲＰ（Ｒｅｆｅｒｅｎｃｅ  Ｓｉｇｎａｌ  Ｒｅｃｅｉｖｅｄ  Ｐｏｗｅｒ）の値やＲＳＲＱ（Ｒｅｆｅｒｅｎｃｅ  Ｓｉｇｎａｌ  Ｒｅｃｅｉｖｅｄ  Ｑｕａｌｉｔｙ）の値やＣＱＩ（Ｃｈａｎｎｅｌ  Ｑｕａｌｉｔｙ  Ｉｎｄｉｃａｔｏｒ）の値やＨＡＲＱ（Ｈｙｂｒｉｄ-ＡＲＱ）の誤り率等を観測することによって、かかる品質劣化を検出してもよい。
【００５４】
ここで、無線基地局ＭｅＮＢは、かかる転送停止要求に応じて、無線基地局ＳｅＮＢ＃１に対して、移動局ＵＥ宛ての下りデータの転送を停止する。なお、図５の例では、無線基地局ＭｅＮＢは、シーケンス番号「９」以降のＰＤＣＰ-ＰＤＵの無線基地局ＳｅＮＢ＃１に対する転送を停止している。
【００５５】
その後、無線基地局ＳｅＮＢ＃１は、ステップＳ３００３において、移動局ＵＥから「Ｍｅａｓｕｒｅｍｅｎｔ  Ｒｅｐｏｒｔ」を受信し、無線基地局ＳｅＮＢを無線基地局ＳｅＮＢ＃１から無線基地局ＳｅＮＢ＃２に切り替えることを決定すると、ステップＳ３００４において、無線基地局ＳｅＮＢ＃２に対して、無線基地局ＳｅＮＢを切り替えるように要求する「ＳｅＮＢ  ｃｈａｎｇｅ  ｒｅｑｕｅｓｔ」を送信する。
【００５６】
その後、無線基地局ＳｅＮＢ＃１は、ステップＳ３００５において、無線基地局ＳｅＮＢ＃２から「ＳｅＮＢ  ｃｈａｎｇｅ  ｒｅｑｕｅｓｔ  ａｃｋ」を受信すると、ステップＳ３００６において、移動局ＵＥに対する下りデータのスケジューリングと停止すると共に、ステップＳ３００７において、移動局ＵＥに対して「ＳｅＮＢ  ｃｈａｎｇｅ  ｒｅｑｕｅｓｔ」を送信する。
【００５７】
その後の動作は、図１３に示す動作と同様である。
【００５８】
なお、移動局ＵＥに対する送信が完了していない下りデータ（ＰＤＣＰ-ＰＤＵ）は、無線基地局ＳｅＮＢ＃１又は移動局ＵＥによって無線基地局ＭｅＮＢに対して通知されてもよい。また、かかる下りデータについて、無線基地局ＳｅＮＢ＃１によって無線基地局ＭｅＮＢに対して転送されてもよい。
【００５９】
また、本動作例３において、無線基地局ＳｅＮＢ＃１は、滞留しており移動局ＵＥに対する送信が完了していない下りデータについて破棄してもよい。
【００６０】
ここで、本実施形態に係る移動通信システムにおいて、無線基地局ＳｅＮＢ＃１が、無線基地局ＭｅＮＢに対して、上述の「Ｍｅａｓｕｒｅｍｅｎｔ  Ｒｅｐｏｒｔ」を転送し、無線基地局ＭｅＮＢが、無線基地局ＳｅＮＢを無線基地局ＳｅＮＢ＃１から無線基地局ＳｅＮＢ＃２に切り替えるか否かについて決定してもよい。
【００６１】
本実施形態に係る移動通信システムによれば、「Ｉｎｔｅｒ-ｎｏｄｅ  ＵＰ  ａｇｇｒｅｇａｔｉｏｎ」において無線基地局ＳｅＮＢを無線基地局ＳｅＮＢ＃１から無線基地局ＳｅＮＢ＃２に切り替える際に、無線基地局ＭｅＮＢが、「Ｐａｔｈ  ｓｗｉｔｃｈ  ｒｅｑｕｅｓｔ」を受信する時点よりも前の時点で、上述の転送停止要求に応じて、無線基地局ＳｅＮＢ＃１に対する移動局ＵＥ宛ての下りデータの転送を停止することができるため、移動局ＵＥ宛ての下りデータの無駄な転送を回避し、かかる切り替えを迅速に行うことができる。
【００６２】
（本発明の第２の実施形態）
以下、図６乃至図８を参照して、本発明の第２の実施形態に係る移動通信システムについて、上述の第１の実施形態に係る移動通信システムとの相違点に着目して説明する。
【００６３】
図６に示すように、本実施形態に係る無線基地局ＳｅＮＢ＃１は、受信部２１と、送信部２２と、ＣＡ管理部２３と、受信データバッファ部２４と、受信状況管理部２５とを具備している。
【００６４】
受信部２１は、無線基地局ＭｅＮＢや無線基地局ＳｅＮＢ＃２や移動局ＵＥによって送信された各種信号を受信するように構成されており、送信部２２は、無線基地局ＭｅＮＢや無線基地局ＳｅＮＢ＃２や移動局ＵＥに対して各種信号を送信するように構成されている。
【００６５】
ＣＡ管理部２３は、受信部２１及び送信部２２を協働して、上述のＣＡ、すなわち、「Ｉｎｔｅｒ-ｎｏｄｅ  ＵＰ  ａｇｇｒｅｇａｔｉｏｎ」に係る制御や管理を行うように構成されている。
【００６６】
以下、図７及び図８を参照して、本実施形態に係る移動通信システムの動作について説明する。具体的には、図７及び図８を参照して、本実施形態に係る移動通信システムにおいて、「Ｉｎｔｅｒ-ｎｏｄｅ  ＵＰ  ａｇｇｒｅｇａｔｉｏｎ」が行われている際に、無線基地局ＳｅＮＢを無線基地局ＳｅＮＢ＃１から無線基地局ＳｅＮＢ＃２に切り替える際の動作について説明する。
【００６７】
第１に、図７を参照して、本実施形態に係る移動通信システムの動作例１について説明する。
【００６８】
図７に示すように、無線基地局ＳｅＮＢ＃１は、ステップＳ４００１において、移動局ＵＥから「Ｍｅａｓｕｒｅｍｅｎｔ  Ｒｅｐｏｒｔ」を受信し、無線基地局ＳｅＮＢを無線基地局ＳｅＮＢ＃１から無線基地局ＳｅＮＢ＃２に切り替えることを決定すると、ステップＳ４００２において、無線基地局ＭｅＮＢに対して、無線基地局ＳｅＮＢ＃１に対する移動局ＵＥ宛ての下りデータの転送を停止するように要求する転送停止要求を送信すると共に、無線基地局ＳｅＮＢ＃２に対して、無線基地局ＳｅＮＢを切り替えるように要求する「ＳｅＮＢ  ｃｈａｎｇｅ  ｒｅｑｕｅｓｔ」を送信する。
【００６９】
ここで、無線基地局ＭｅＮＢは、かかる転送停止要求に応じて、無線基地局ＳｅＮＢ＃１に対して、移動局ＵＥ宛ての下りデータの転送を停止する。なお、図７の例では、無線基地局ＭｅＮＢは、シーケンス番号「２３」以降のＰＤＣＰ-ＰＤＵの無線基地局ＳｅＮＢ＃１に対する転送を停止している。
【００７０】
その後、無線基地局ＳｅＮＢ＃１は、ステップＳ４００４において、無線基地局ＳｅＮＢ＃２から「ＳｅＮＢ  ｃｈａｎｇｅ  ｒｅｑｕｅｓｔ  ａｃｋ」を受信すると、ステップＳ４００５において、移動局ＵＥに対する下りデータのスケジューリングと停止すると共に、ステップＳ４００６において、移動局ＵＥに対して「ＳｅＮＢ  ｃｈａｎｇｅ  ｒｅｑｕｅｓｔ」を送信する。
【００７１】
その後の動作は、図１３に示す動作と同様である。
【００７２】
なお、移動局ＵＥに対する送信が完了していない下りデータ（ＰＤＣＰ-ＰＤＵ）は、無線基地局ＳｅＮＢ＃１又は移動局ＵＥによって無線基地局ＭｅＮＢに対して通知されてもよい。また、かかる下りデータについて、無線基地局ＳｅＮＢ＃１によって無線基地局ＭｅＮＢに対して転送されてもよい。
【００７３】
また、本動作例１において、無線基地局ＳｅＮＢ＃１は、滞留しており移動局ＵＥに対する送信が完了していない下りデータについて破棄してもよい。
【００７４】
第２に、図８を参照して、本実施形態に係る移動通信システムの動作例２について説明する。
【００７５】
図８に示すように、無線基地局ＳｅＮＢ＃１は、ステップＳ５００１において、移動局ＵＥとの間の無線リンク（下りリンク及び上りリンク）の品質劣化を検出すると、ステップＳ５００２において、無線基地局ＭｅＮＢに対して、無線基地局ＳｅＮＢ＃１に対する移動局ＵＥ宛ての下りデータの転送を停止するように要求する転送停止要求を送信する。
【００７６】
例えば、無線基地局ＳｅＮＢ＃１は、ＣＱＩの値やＳＲＳ（Ｓｏｕｎｄｉｎｇ  Ｒｅｆｅｒｅｎｃｅ  Ｓｉｇｎａｌ）の受信品質やＨＡＲＱの誤り率等を観測することによって、かかる品質劣化を検出してもよい。
【００７７】
ここで、無線基地局ＭｅＮＢは、かかる転送停止要求に応じて、無線基地局ＳｅＮＢ＃１に対して、移動局ＵＥ宛ての下りデータの転送を停止する。なお、図８の例では、無線基地局ＭｅＮＢは、シーケンス番号「１９」以降のＰＤＣＰ-ＰＤＵの無線基地局ＳｅＮＢ＃１に対する転送を停止している。
【００７８】
その後、無線基地局ＳｅＮＢ＃１は、移動局ＵＥから「Ｍｅａｓｕｒｅｍｅｎｔ  Ｒｅｐｏｒｔ」を受信し、無線基地局ＳｅＮＢを無線基地局ＳｅＮＢ＃１から無線基地局ＳｅＮＢ＃２に切り替えることを決定すると、ステップＳ５００３において、無線基地局ＳｅＮＢ＃２に対して、無線基地局ＳｅＮＢを切り替えるように要求する「ＳｅＮＢ  ｃｈａｎｇｅ  ｒｅｑｕｅｓｔ」を送信する。
【００７９】
無線基地局ＳｅＮＢ＃１は、ステップＳ５００４において、無線基地局ＳｅＮＢ＃２から「ＳｅＮＢ  ｃｈａｎｇｅ  ｒｅｑｕｅｓｔ  ａｃｋ」を受信すると、ステップＳ５００５において、移動局ＵＥに対する下りデータのスケジューリングと停止すると共に、ステップＳ５００６において、移動局ＵＥに対して「ＳｅＮＢ  ｃｈａｎｇｅ  ｒｅｑｕｅｓｔ」を送信する。
【００８０】
その後の動作は、図１３に示す動作と同様である。
【００８１】
なお、移動局ＵＥに対する送信が完了していない下りデータ（ＰＤＣＰ-ＰＤＵ）は、無線基地局ＳｅＮＢ＃１又は移動局ＵＥによって無線基地局ＭｅＮＢに対して通知されてもよい。また、かかる下りデータについて、無線基地局ＳｅＮＢ＃１によって無線基地局ＭｅＮＢに対して転送されてもよい。
【００８２】
また、本動作例１において、無線基地局ＳｅＮＢ＃１は、滞留しており移動局ＵＥに対する送信が完了していない下りデータについて破棄してもよい。
【００８３】
本実施形態に係る移動通信システムによれば、「Ｉｎｔｅｒ-ｎｏｄｅ  ＵＰ  ａｇｇｒｅｇａｔｉｏｎ」において無線基地局ＳｅＮＢを無線基地局ＳｅＮＢ＃１から無線基地局ＳｅＮＢ＃２に切り替える際に、無線基地局ＭｅＮＢが、「Ｐａｔｈ  ｓｗｉｔｃｈ  ｒｅｑｕｅｓｔ」を受信する時点よりも前の時点で、上述の転送停止要求に応じて、無線基地局ＳｅＮＢ＃１に対する移動局ＵＥ宛ての下りデータの転送を停止することができるため、移動局ＵＥ宛ての下りデータの無駄な転送を回避し、かかる切り替えを迅速に行うことができる。
【００８４】
以上に述べた本実施形態の特徴は、以下のように表現されていてもよい。
【００８５】
本実施形態の第１の特徴は、移動局ＵＥが無線基地局ＭｅＮＢ（マクロセル用無線基地局）配下のマクロセル及び無線基地局ＳｅＮＢ＃１（第１スモールセル用無線基地局）配下のスモールセルを用いてＣＡ（キャリアアグリゲーション）を行っている状態における移動通信方法であって、無線基地局ＳｅＮＢ＃１が、移動局ＵＥから「Ｍｅａｓｕｒｅｍｅｎｔ  Ｒｅｐｏｒｔ（測定報告）」を受信した際に、無線基地局ＳｅＮＢ＃２（第２スモールセル用無線基地局）に対して、無線基地局ＳｅＮＢ（スモールセル用無線基地局）を切り替えるように要求する「ＳｅＮＢ  ｃｈａｎｇｅ  ｒｅｑｕｅｓｔ（切替要求）」を送信する工程と、無線基地局ＳｅＮＢ＃１が、無線基地局ＳｅＮＢ＃２から「ＳｅＮＢ  ｃｈａｎｇｅ  ｒｅｑｕｅｓｔ  ａｃｋ（切替要求応答）」を受信した際に、移動局ＵＥに対する下りデータのスケジューリングを停止すると共に、移動局ＵＥに対して「ＳｅＮＢ  ｃｈａｎｇｅ  ｒｅｑｕｅｓｔ」を送信する工程と、移動局ＵＥが、「ＳｅＮＢ  ｃｈａｎｇｅ  ｒｅｑｕｅｓｔ」に応じて、無線基地局ＭｅＮＢに対して、無線基地局ＳｅＮＢ＃１に対する移動局ＵＥ宛ての下りデータの転送を停止するように要求する転送停止要求を送信する工程と、無線基地局ＭｅＮＢが、かかる転送停止要求に応じて、無線基地局ＳｅＮＢ＃１に対して、移動局ＵＥ宛ての下りデータの転送を停止する工程とを有することを要旨とする。
【００８６】
本実施形態の第２の特徴は、移動局ＵＥが無線基地局ＭｅＮＢ配下のマクロセル及び無線基地局ＳｅＮＢ＃１配下のスモールセルを用いてＣＡを行っている状態における移動通信方法であって、移動局ＵＥが、無線基地局ＳｅＮＢ＃１に対して「Ｍｅａｓｕｒｅｍｅｎｔ  Ｒｅｐｏｒｔ」を送信する際に、無線基地局ＭｅＮＢに対して、無線基地局ＳｅＮＢ＃１に対する移動局ＵＥ宛ての下りデータの転送を停止するように要求する転送停止要求を送信する工程と、無線基地局ＭｅＮＢが、かかる転送停止要求に応じて、無線基地局ＳｅＮＢ＃１に対して、移動局ＵＥ宛ての下りデータの転送を停止する工程と、無線基地局ＳｅＮＢ＃１が、移動局ＵＥから「Ｍｅａｓｕｒｅｍｅｎｔ  Ｒｅｐｏｒｔ」を受信した際に、無線基地局ＳｅＮＢ＃２に対して「ＳｅＮＢ  ｃｈａｎｇｅ  ｒｅｑｕｅｓｔ」を送信する工程と、無線基地局ＳｅＮＢ＃１が、無線基地局ＳｅＮＢ＃２から「ＳｅＮＢ  ｃｈａｎｇｅ  ｒｅｑｕｅｓｔ  ａｃｋ」を受信した際に、移動局ＵＥに対する下りデータのスケジューリングを停止すると共に、移動局ＵＥに対して「ＳｅＮＢ  ｃｈａｎｇｅ  ｒｅｑｕｅｓｔ」を送信する工程とを有することを要旨とする。
【００８７】
本実施形態の第３の特徴は、移動局ＵＥが無線基地局ＭｅＮＢ配下のマクロセル及び無線基地局ＳｅＮＢ＃１配下のスモールセルを用いてＣＡを行っている状態における移動通信方法であって、移動局ＵＥが、無線基地局ＳｅＮＢ＃１との間の無線リンクの品質劣化を検出した際に、無線基地局ＭｅＮＢに対して、無線基地局ＳｅＮＢ＃１に対する移動局ＵＥ宛ての下りデータの転送を停止するように要求する転送停止要求を送信する工程と、無線基地局ＭｅＮＢが、かかる転送停止要求に応じて、無線基地局ＳｅＮＢ＃１に対して、移動局ＵＥ宛ての下りデータの転送を停止する工程と、無線基地局ＳｅＮＢ＃１が、移動局ＵＥから「Ｍｅａｓｕｒｅｍｅｎｔ  Ｒｅｐｏｒｔ」を受信した際に、無線基地局ＳｅＮＢ＃２に対して「ＳｅＮＢ  ｃｈａｎｇｅ  ｒｅｑｕｅｓｔ」を送信する工程と、無線基地局ＳｅＮＢ＃１が、無線基地局ＳｅＮＢ＃２から「ＳｅＮＢ  ｃｈａｎｇｅ  ｒｅｑｕｅｓｔ  ａｃｋ」を受信した際に、移動局ＵＥに対する下りデータのスケジューリングを停止すると共に、移動局ＵＥに対して「ＳｅＮＢ  ｃｈａｎｇｅ  ｒｅｑｕｅｓｔ」を送信する工程とを有することを要旨とする。
【００８８】
本実施形態の第４の特徴は、移動局ＵＥが無線基地局ＭｅＮＢ配下のマクロセル及び無線基地局ＳｅＮＢ＃１配下のスモールセルを用いてＣＡを行っている状態における移動通信方法であって、無線基地局ＳｅＮＢ＃１が、移動局ＵＥから「Ｍｅａｓｕｒｅｍｅｎｔ  Ｒｅｐｏｒｔ」を受信した際に、無線基地局ＳｅＮＢ＃２に対して「ＳｅＮＢ  ｃｈａｎｇｅ  ｒｅｑｕｅｓｔ」を送信すると共に、無線基地局ＭｅＮＢに対して、無線基地局ＳｅＮＢ＃１に対する移動局ＵＥ宛ての下りデータの転送を停止するように要求する転送停止要求を送信する工程と、無線基地局ＭｅＮＢが、かかる転送停止要求に応じて、無線基地局ＳｅＮＢ＃１に対して、移動局ＵＥ宛ての下りデータの転送を停止する工程と、無線基地局ＳｅＮＢ＃１が、無線基地局ＳｅＮＢ＃２から「ＳｅＮＢ  ｃｈａｎｇｅ  ｒｅｑｕｅｓｔ  ａｃｋ」を受信した際に、移動局ＵＥに対する下りデータのスケジューリングを停止すると共に、移動局ＵＥに対して「ＳｅＮＢ  ｃｈａｎｇｅ  ｒｅｑｕｅｓｔ」を送信する工程とを有することを要旨とする。
【００８９】
本実施形態の第５の特徴は、移動局ＵＥが無線基地局ＭｅＮＢ配下のマクロセル及び無線基地局ＳｅＮＢ＃１配下のスモールセルを用いてＣＡを行っている状態における移動通信方法であって、無線基地局ＳｅＮＢ＃１が、移動局ＵＥとの間の無線リンクの品質劣化を検出した際に、無線基地局ＭｅＮＢに対して、無線基地局ＳｅＮＢ＃１に対する移動局ＵＥ宛ての下りデータの転送を停止するように要求する転送停止要求を送信する工程と、無線基地局ＭｅＮＢが、かかる転送停止要求に応じて、無線基地局ＳｅＮＢ＃１に対して、移動局ＵＥ宛ての下りデータの転送を停止する工程と、無線基地局ＳｅＮＢ＃１が、移動局ＵＥから「Ｍｅａｓｕｒｅｍｅｎｔ  Ｒｅｐｏｒｔ」を受信した際に、無線基地局ＳｅＮＢ＃２に対して「ＳｅＮＢ  ｃｈａｎｇｅ  ｒｅｑｕｅｓｔ」を送信する工程と、無線基地局ＳｅＮＢ＃１が、無線基地局ＳｅＮＢ＃２から「ＳｅＮＢ  ｃｈａｎｇｅ  ｒｅｑｕｅｓｔ  ａｃｋ」を受信した際に、移動局ＵＥに対する下りデータのスケジューリングを停止すると共に、移動局ＵＥに対して「ＳｅＮＢ  ｃｈａｎｇｅ  ｒｅｑｕｅｓｔ」を送信する工程とを有することを要旨とする。
【００９０】
なお、上述の移動局ＵＥや無線基地局ＭｅＮＢ/ＳｅＮＢ＃１/ＳｅＮＢ＃２の動作は、ハードウェアによって実施されてもよいし、プロセッサによって実行されるソフトウェアモジュールによって実施されてもよいし、両者の組み合わせによって実施されてもよい。
【００９１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＭｅＮＢ/ＳｅＮＢ＃１/ＳｅＮＢ＃２内に設けられていてもよい。また、かかる記憶媒体及びプロセッサは、ディスクリートコンポーネントとして移動局ＵＥや無線基地局ＭｅＮＢ/ＳｅＮＢ＃１/ＳｅＮＢ＃２内に設けられていてもよい。
【００９３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９４】
Ｓ-ＧＷ…ゲートウェイ装置
ＭｅＮＢ、ＳｅＮＢ＃１、ＳｅＮＢ＃２…無線基地局
ＵＥ…移動局
１１、２１…受信部
１２、２２…送信部
１３、２３…ＣＡ管理部
【図１】
2015041786.tif 000003
【図２】
2015041786.tif 000004
【図３】
2015041786.tif 000005
【図４】
2015041786.tif 000006
【図５】
2015041786.tif 000007
【図６】
2015041786.tif 000008
【図７】
2015041786.tif 000009
【図８】
2015041786.tif 000010
【図９】
2015041786.tif 000011
【図１０】
2015041786.tif 000012
【図１１】
2015041786.tif 000013
【図１２】
2015041786.tif 000014
【図１３】
2015041786.tif 000015